(57)【特許請求の範囲】
【請求項１】
電圧を計測する電圧計測装置と、
前記電圧計測装置とは別に設けられ、かつ、機器の電流を計測する電流計測装置とを備え、
前記電圧計測装置は、
所定の時間間隔で、電圧を計測する電圧計測手段と、
前記電圧計測手段により計測した電圧に基づいて、前記機器に供給される電圧を求めるための近似式を算出する近似式算出手段と、
算出された前記近似式を、電圧情報として、前記電流計測装置に向けて送信する送信手段とを含み、
前記電流計測装置は、
前記機器の電流を計測する電流計測手段と、
前記電圧計測装置から前記電圧情報として前記近似式を受信する受信手段と、
前記受信手段により受信した前記近似式と前記電流計測手段により計測した電流とに基づいて、前記機器の電力を算出する電力算出手段とを含み、
前記電力算出手段は、前記近似式に基づいて、前記電流計測手段による電流計測時における前記機器の電圧を算出し、当該電圧と前記電流計測手段により計測した電流とに基づいて、前記機器の電力を算出する、電力計測システム。
【請求項２】
前記近似式は、算出する電圧をＶ、公称電圧をＶａ、角速度をωｔとすると、Ｖ＝Ｖａｃｏｓωｔである、請求項１に記載の電力計測システム。
【請求項３】
前記電圧計測装置は、前記電流計測装置と時刻を合わせるための信号を送信する信号送信手段を含み、
前記電流計測装置は、
前記電圧計測装置から前記信号を受信する信号受信手段と、
前記電流計測手段による電流計測前に、前記信号受信手段により受信した前記信号に基づいて、当該電流計測装置における時刻を前記電圧計測装置における時刻と合わせる手段とを含む、請求項１または２に記載の電力計測システム。
【請求項４】
前記電流計測装置は、複数設けられ、
前記電圧計測装置の前記送信手段は、同一の前記近似式を前記複数の電流計測装置に送信することを特徴とする、請求項１〜３のいずれかに記載の電力計測システム。
【請求項５】
請求項１〜４のいずれかに記載の電力計測システムに含まれる、電圧計測装置。
【請求項６】
請求項１〜４のいずれかに記載の電力計測システムに含まれる、電流計測装置。
【請求項７】
電圧を計測する電圧計測装置と、前記電圧計測装置とは別に設けられ、かつ、機器の電流を計測する電流計測装置とを備えた電力計測システムにおいて実行される電力計測方法であって、
前記電圧計測装置において、所定の時間間隔で、電圧を計測する電圧計測ステップと、
前記電圧計測装置において、前記電圧計測ステップにより計測した電圧に基づいて、前記機器に供給される電圧を求めるための近似式を算出するステップと、
前記電圧計測装置において、算出された前記近似式を、電圧情報として、前記電流計測装置に向けて送信する送信ステップと、
前記電流計測装置において、機器の電流を計測する電流計測ステップと、
前記電流計測装置において、前記電圧計測装置から前記電圧情報として前記近似式を受信する受信ステップと、
前記電流計測装置において、前記近似式に基づいて、前記電流計測ステップでの電流計測時における前記機器の電圧を算出するステップと、
前記電流計測装置において、算出した電圧と前記電流計測ステップで計測した電流とに基づいて、前記機器の電力を算出する電力算出ステップとを含む、電力計測方法。
【発明の詳細な説明】
【技術分野】
【０００１】
この発明は、電力計測システム、電圧計測装置、および電流計測装置に関するものであって、特に、機器に供給する電力を算出する電力計測システム、このような電力計測システムに用いられる電圧計測装置、および電流計測装置に関するものである。
【背景技術】
【０００２】
機器が消費する電力を算出するシステムが、例えば、特開２００１−２８１２７４号公報（特許文献１）に開示されている。特許文献１によると、システムは、機器に流れる電流値のみを検出する。そして、検出した電流値と、操作者が入力した電圧値と、操作者が入力した力率とを用いて、機器が消費する電力を算出することとしている。
【先行技術文献】
【特許文献】
【０００３】
【特許文献１】特開２００１−２８１２７４号公報
【発明の概要】
【発明が解決しようとする課題】
【０００４】
特許文献１によると、操作者が入力した電圧値を用いて、電力を算出することとしている。しかしながら、このような方法では、例えば実際の機器の電圧値と操作者が入力した電圧値とが異なる場合において、正確な電力を算出することが困難になってしまう。
【０００５】
また、従来、電力を算出する電力計測装置は、一般的に、電圧を計測する電圧計測部と電流を計測する電流計測部とが、１つの装置として構成されている。したがって、例えば１つの分電盤から複数の機器に供給される電力を算出する場合、供給される電圧は機器毎で一定であるにもかかわらず、電流の計測のために、機器毎に電力計測装置を取り付け、複数の電力計測装置の電圧を結線する必要があった。しかしながら、電圧の結線は危険が伴うものであり、容易に行うことができないものである。また、結線の際には、機器の電源を落とす必要があり、機器によっては、容易に電源を落とせない場合がある。したがって、電圧計測部と電流計測部とを別装置とし、電流においては機器毎に取り付けを行い、電圧においては取り付け数を少なくし、なるべく結線を行うことが少なくなるようにすることが望ましい。
【０００６】
一方で、電圧計測部と電流計測部とを別装置として構成すると、計測したデータを一方側に通知する必要がある。ここで、正確に電力を算出しようとすると、多くの計測したデータが必要となり、通信におけるデータ数が膨大になってしまう。
【０００７】
この発明の目的は、簡易な構成で、正確に電力を算出することができる電力計測システム、このような電力計測システムに用いる電圧計測装置、および電流計測装置を提供することである。
【課題を解決するための手段】
【０００８】
この発明に係る電力計測システムは、電圧を計測する電圧計測装置と、電流を計測する電流計測装置とを備える電力計測システムである。電圧計測装置は、所定の時間間隔で、電圧を計測する電圧計測手段と、電圧計測手段により計測した電圧に基づく電圧情報を、電流計測装置に向けて送信する送信手段とを含む。電流計測装置は、電圧計測装置と別に設けられており、所定の時間間隔で、電流を計測する電流計測手段と、電圧計測装置から電圧情報を受信する受信手段と、受信手段により受信した電圧情報と電流計測手段により計測した電流とに基づいて、電力を算出する電力算出手段とを含む。
【０００９】
このような電力計測システムは、電圧計測装置と電流計測装置とを別に設ける構成としたため、例えば、容易に取り付けが行えない電圧計測装置においては取り付け数を少なくし、電流計測装置においては電力を算出したい機器に任意に取り付けて、電力を算出することができる。すなわち、電圧計測装置と電流計測装置とをそれぞれの都合に応じて取り付けることができる。具体的には、電流の計測は、回路を切断することなく、例えば電力を供給する電力供給線にクランプを挟み、電力供給線の周囲に誘起される磁界を検出することによって、行うことができる。したがって、電流のみを計測するのであれば、電圧計測装置を取り付ける必要がない。また、電圧計測装置は、計測した電圧に基づく電圧情報を電流計測装置に向けて送信するため、電流計測装置は、計測した電圧および計測した電流に基づいて、電力の算出を行うことができる。また、電圧計測装置は、電圧情報を送信するのみでよいため、多くの計測した電圧のデータを送信する必要がない。その結果、簡易な構成で、正確に電力を算出することができる。
【００１０】
好ましくは、電圧情報は、電圧を求める近似式であって、受信手段は、電圧計測装置から近似式を受信し、電力算出手段は、受信手段により受信した近似式から、電圧を算出する電圧算出手段を含み、電圧算出手段により算出した電圧と、電流計測手段により計測した電流とに基づいて、電力を算出する。こうすることにより、電圧計測装置と電流計測装置とを別に設ける構成とした場合であっても、電圧情報として、近似式を送受信するのみでよい。したがって、電圧計測装置と電流計測装置の間の通信において、データ数が膨大になることがない。
【００１１】
一実施形態として、近似式は、算出する電圧をＶ、公称電圧をＶａ、角速度をωｔとすると、Ｖ＝Ｖａｃｏｓωｔである。
【００１２】
さらに好ましくは、電圧計測装置は、電流計測装置と時刻を合わせるための信号を送信する信号送信手段を含み、電流計測装置は、電圧計測装置から時刻を合わせるための信号を受信する信号受信手段を含み、電圧算出手段は、信号受信手段により受信した信号に基づいて、電流計測装置が電流を計測した時間における電圧を近似式から求める。こうすることにより、電圧計測装置の時間と電流計測装置の時間とにずれが生じた場合であっても、電流計測装置において、電圧計測装置の時間と合わせることができる。したがって、電流を計測した時間における電圧を、近似式から正確に算出することができる。
【００１３】
この発明の他の局面においては、電圧を計測する電圧計測装置に関する。電圧計測装置は、所定の時間間隔で、電圧を計測する電圧計測手段と、電圧計測手段により計測した電圧に基づく電圧情報を、電圧計測装置とは別に設けられ、電流を計測して電力を算出する電流計測装置に向けて送信する送信手段とを備える。
【００１４】
このような電圧計測装置は、電流計測装置と別に設ける構成としたため、取り付けの数を少なくすることができる。例えば、複数の電流計測装置を取り付けた場合であっても、電圧計測装置においては１個取り付けるのみでよい。また、電圧計測装置は、計測した電圧に基づく電圧情報を電流計測装置に向けて送信するため、電流計測装置において、計測した電圧および計測した電流に基づいて、電力を算出させることができる。また、電圧計測装置は、電圧情報を送信するのみでよいため、多くの計測した電圧のデータを送信する必要がない。その結果、簡易な構成で、正確に電力を算出させることができる。
【００１５】
この発明のさらに他の局面においては、電流を計測する電流計測装置に関する。電流計測装置は、電圧を計測する電圧計測装置と別に設けられており、所定の時間間隔で、電流を計測する電流計測手段と、電圧計測装置から、計測した電圧に基づく電圧情報を受信する受信手段と、受信手段により受信した電圧情報と電流計測手段により計測した電流とに基づいて、電力を算出する電力算出手段とを備える。
【００１６】
このような電流計測装置は、電圧計測装置と別に設ける構成としたため、例えば、容易に取り付けが行えない電圧計測装置においては取り付け数を少なくし、電流計測装置においては電力を算出したい機器に任意に取り付けて、電力を算出することができる。また、電流計測装置は、電圧計測装置から、計測した電圧に基づく電圧情報を送信されるため、電流計測装置は、計測した電圧および計測した電流に基づいて、電力の算出を行うことができる。また、電圧計測装置からは、電圧情報を送信されるのみでよいため、多くの計測した電圧のデータを送信される必要がない。その結果、簡易な構成で、正確に電力を算出することができる。
【発明の効果】
【００１７】
この発明に係る電力計測システムは、電圧計測装置と電流計測装置とを別に設ける構成としたため、例えば、容易に取り付けが行えない電圧計測装置においては取り付け数を少なくし、電流計測装置においては電力を算出したい機器に任意に取り付けて、電力を算出することができる。すなわち、電圧計測装置と電流計測装置とをそれぞれの都合に応じて取り付けることができる。具体的には、電流の計測は、回路を切断することなく、例えば電力を供給する電力供給線にクランプを挟み、電力供給線の周囲に誘起される磁界を検出することによって、行うことができる。したがって、電流のみを計測するのであれば、電圧計測装置を取り付ける必要がない。また、電圧計測装置は、計測した電圧に基づく電圧情報を電流計測装置に向けて送信するため、電流計測装置は、計測した電圧および計測した電流に基づいて、電力の算出を行うことができる。また、電圧計測装置は、電圧情報を送信するのみでよいため、多くの計測した電圧のデータを送信する必要がない。その結果、簡易な構成で、正確に電力を算出することができる。
【００１８】
また、この発明に係る電圧計測装置は、電流計測装置と別に設ける構成としたため、取り付けの数を少なくすることができる。例えば、複数の電流計測装置を取り付けた場合であっても、電圧計測装置においては１個取り付けるのみでよい。また、電圧計測装置は、計測した電圧に基づく電圧情報を電流計測装置に向けて送信するため、電流計測装置において、計測した電圧および計測した電流に基づいて、電力を算出させることができる。また、電圧計測装置は、電圧情報を送信するのみでよいため、多くの計測した電圧のデータを送信する必要がない。その結果、簡易な構成で、正確に電力を算出させることができる。
【００１９】
また、この発明に係る電流計測装置は、電圧計測装置と別に設ける構成としたため、例えば、容易に取り付けが行えない電圧計測装置においては取り付け数を少なくし、電流計測装置においては電力を算出したい機器に任意に取り付けて、電力を算出することができる。また、電流計測装置は、電圧計測装置から、計測した電圧に基づく電圧情報を送信されるため、電流計測装置は、計測した電圧および計測した電流に基づいて、電力の算出を行うことができる。また、電圧計測装置からは、電圧情報を送信されるのみでよいため、多くの計測した電圧のデータを送信される必要がない。その結果、簡易な構成で、正確に電力を算出することができる。
【図面の簡単な説明】
【００２０】
【図１】この発明の一実施形態に係る電力計測システムの構成を示すブロック図である。
【図２】図１に示す電力計測システムを工場内の機器に適用した場合を示すブロック図である。
【図３】電力計測システムが第２の機器に供給される電力を算出する場合について示すフローチャートである。
【図４】計測した電圧のデータを示すグラフである。
【図５】計測した電流のデータを示すグラフである。
【図６】電流計測装置を複数取り付けた場合を示すブロック図である。
【発明を実施するための形態】
【００２１】
以下、図面を参照して、この発明の一実施形態に係る電力計測システム、電圧計測装置、および電流計測装置について説明する。図１は、この発明の一実施形態に係る電力計測システム１０の構成を示すブロック図である。図１を参照して、電力計測システム１０は、電圧を計測する電圧計測装置１１と、電圧計測装置１１とは別に設けられており、電流を計測する電流計測装置１２とを備える。そして、電圧計測装置１１にて計測された電圧と、電流計測装置１２にて計測された電流とを用いて、電力を算出する。なお、ここで言う電力とは、瞬時電力を指す。
【００２２】
電圧計測装置１１は、電圧計測装置１１全体を制御する制御部１１ｃと、電圧を計測する計測部１１ｂと、計測部１１ｂにて計測した電圧を記憶する記憶部１１ａと、電流計測装置１２と時刻を合わせるための信号を電流計測装置１２へ向けて送信する信号発生部１１ｄと、外部装置と接続するためのインターフェースとなるＩ／Ｆ（インターフェース）部１１ｅとを備える。
【００２３】
電流計測装置１２は、電流計測装置１２全体を制御する制御部１２ｃと、電流を計測する計測部１２ｂと、計測部１２ｂにて計測した電流を記憶する記憶部１２ａと、信号を受信する信号受信部１２ｄと、外部装置と接続するためのインターフェースとなるＩ／Ｆ部１２ｅとを備える。
【００２４】
図２は、図１に示す電力計測システム１０を工場１６内の機器に適用した場合を示すブロック図である。図２を参照して、工場１６内には、分電盤１７と、分電盤１７を介して電力を供給される第１〜第３の機器１５ａ〜１５ｃとが設けられている。分電盤１７には、複数のブレーカーが設けられており、複数のブレーカーは、主ブレーカー１３と、第１〜第３のブレーカー１４ａ〜１４ｃとを含む。主ブレーカー１３は、工場１６内において一定以上の電流が流れると回路を遮断する。第１のブレーカー１４ａは、第１の機器１５ａと接続し、第１の機器１５ａに向けて一定以上の電流が流れると回路を遮断する。第２および第３のブレーカー１４ｂ，１４ｃにおいても同様に、第２のブレーカー１４ｂは、第２の機器１５ｂと接続し、第２の機器１５に向けて一定以上の電流が流れると回路を遮断する。また、第３のブレーカー１４ｃは、第３の機器１５ｃと接続し、第３の機器１５ｃに向けて一定以上の電流が流れると回路を遮断する。
【００２５】
電圧計測装置１１は、主ブレーカー１３に取り付けられて、工場１６内に供給される電圧を計測する。分電盤１７を介して供給される電圧は、主ブレーカー１３、および第１〜第３のブレーカー１４ａ〜１４ｃで一定である。すなわち、１つの分電盤１７から供給される電圧は、一定である。電流計測装置１２は、第２のブレーカー１４ｂと第２の機器１５ｂとの間に取り付けられて、第２の機器１５ｂに供給される電流を計測する。
【００２６】
ここで、電力計測システム１０が第２の機器１５ｂに供給される電力を算出する場合について説明する。図３は、電力計測システム１０が第２の機器１５ｂに供給される電力を算出する場合について示すフローチャートである。図２〜図３を参照して、説明する。
【００２７】
まず、電圧計測装置１１は、所定の時間間隔として例えば１ミリ秒（ｍｓ）毎に電圧を計測する（図３において、ステップＳ１１、以下ステップを省略する）。電圧の計測は、例えば１秒間継続して行う。ここで、計測部１１ｂは、電圧計測手段１８ａとして作動する。そして、１秒間の計測が終了すると、計測した電圧のデータに基づいて、電圧情報を作成する。ここでは、電圧情報として、電圧を求める近似式を算出する（Ｓ１２）。
【００２８】
図４は、計測した電圧のデータを示すグラフである。横軸で時間を示し、縦軸で電圧を示している。近似式は、図４に示す電圧のデータから、点線で示すグラフの式を算出する。すなわち、電圧のデータを近似式に変換する。ここで、近似式は、式から算出する電圧をＶ、公称電圧をＶａ、角速度をωｔとして、Ｖ＝Ｖａｃｏｓωｔと算出する。なお、公称電圧Ｖａは、１００ボルトや２００ボルトである。
【００２９】
そして、電圧計測装置１１は、電流計測装置１２に向けて、算出した近似式をＩ／Ｆ部１１ｅを介して送信する（Ｓ１３）。ここで、制御部１１ｃは、送信手段１８ｂとして作動する。また、電圧計測装置１１は、電流計測装置１２に向けて、信号発生部１１ｄから時刻を合わせるための信号を送信する（Ｓ１４）。例えば、電圧の計測を開始した時間であり、図４中の時間ｔ０を送信する。ここで、信号発生部１１ｄは、信号送信手段１８ｃとして作動する。
【００３０】
そうすると、電流計測装置１２は、電圧計測装置１１から送信された近似式をＩ／Ｆ部１２ｅを介して受信する（Ｓ１５）。ここで、制御部１２ｃは、受信手段１９ｂとして作動する。また、電流計測装置１２は、信号受信部１２ｄにおいて、電圧計測装置１１から時刻を合わせるための信号を受信する（Ｓ１６）。ここで、信号受信部１２ｄは、信号受信手段１９ｅとして作動する。
【００３１】
そして、電流計測装置１２は、受信した信号に基づいて、電流計測装置１２における時間を電圧計測装置１１における時間とを合わせる（Ｓ１７）。これは、電圧計測装置１１と電流計測装置１２とが別に設けられていることから、近似式を算出した電圧計測装置１１の時間と電流計測装置１２の時間とにずれが生じている場合があり、そのずれを調整するものである。なお、時間を合わせる際には、従来の手法を適宜利用する。
【００３２】
そして、電流計測装置１２は、電圧計測装置１１と同様に、１ｍｓ毎に電流を計測する（Ｓ１８）。図５は、計測した電流のデータを示すグラフである。横軸で時間を示し、縦軸で電流を示している。ここで、計測部１２ｂは、電流計測手段１９ａとして作動する。
【００３３】
そして、電流計測装置１２は、電流を計測した時間を近似式にあてはめ、電流計測装置１２が電流を計測した時間における電圧を近似式から求める（Ｓ１９）。ここで、制御部１２ｃは、電圧算出手段１９ｄとして作動する。そして、求めた電圧と計測した電流とを乗算して、電力を算出する（Ｓ２０）。すなわち、計測した電流をＩとし、電力をＷとすると、Ｗ＝Ｖａｃｏｓωｔ×Ｉとなる。ここで、制御部１２ｃは、電力算出手段１９ｃとして作動する。
【００３４】
このように、電力計測システム１０は、電圧計測装置１１と電流計測装置１２とを別に設ける構成としたため、電圧計測装置１１と電流計測装置１２とをそれぞれの都合に応じて取り付けることができる。また、電圧計測装置１１は、計測した電圧に基づく電圧情報を電流計測装置１２に向けて送信するため、電流計測装置１２は、計測した電圧および計測した電流に基づいて、電力の算出を行うことができる。また、電圧計測装置１１は、電圧情報を送信するのみでよいため、多くの計測した電圧のデータを送信する必要がない。その結果、簡易な構成で、正確に電力を算出することができる。
【００３５】
また、この実施形態においては、電圧情報として、近似式を送受信するのみでよい。したがって、電圧計測装置１１と電流計測装置１２の間の通信において、データ数が膨大になることがない。
【００３６】
また、このような電圧計測装置１１は、計測した電圧に基づく電圧情報を電流計測装置１２に向けて送信するため、電流計測装置１２において、計測した電圧および計測した電流に基づいて、電力を算出させることができる。また、電圧計測装置１１は、電圧情報を送信するのみでよいため、多くの計測した電圧のデータを送信する必要がない。その結果、簡易な構成で、正確に電力を算出させることができる。
【００３７】
また、このような電流計測装置１２は、電圧計測装置１１から、計測した電圧に基づく電圧情報を送信されるため、電流計測装置１２は、計測した電圧および計測した電流に基づいて、電力の算出を行うことができる。また、電圧計測装置１１からは、電圧情報を送信されるのみでよいため、多くの計測した電圧のデータを送信される必要がない。その結果、簡易な構成で、正確に電力を算出することができる。
【００３８】
なお、上記の実施の形態においては、電流計測装置１２を１つ取り付ける例について説明したが、これに限ることなく、図６に示すように、電流計測装置２２，２３を複数取り付ける場合にも適用できる。図６は、図２に示す実施形態の工場１６内において、電流計測装置２２，２３を複数取り付けた場合を示すブロック図である。図６を参照して、電流計測装置２２は、第２のブレーカー１４ｂと第２の機器１５ｂとの間に取り付けられており、電流計測装置２３は、第３のブレーカー１４ｃと第３の機器１５ｃとの間に取り付けられている。そして、上記したように電圧は一定であるため、電圧計測装置２１は、１つ取り付けるのみでよい。この場合、電圧計測装置２１は、計測した電圧に基づいて近似式を算出し、算出した近似式を各電流計測装置２２，２３に向けて送信する。そして、各電流計測装置２２，２３において、受信した近似式に基づいて、電流を計測した時間における電圧を算出し、算出した電圧と計測した各機器の電流とを乗算して、各機器の電力を算出する。
【００３９】
このように、電力計測システム２０は、容易に取り付けが行えない電圧計測装置２１においては取り付け数を少なくし、電流計測装置２２，２３においては電力を算出したい機器に任意に取り付けて、電力を算出することができる。また、複数の電流計測装置２２，２３を取り付けた場合であっても、電圧計測装置２１においては１個取り付けるのみでよい。
【００４０】
また、上記の実施の形態においては、電力計測システム１０を工場１６内の機器に適用させる例について説明したが、これに限ることなく、例えば、家庭内の電気機器においても適用させることができる。
【００４１】
また、上記の実施の形態においては、電力計測システム１０は、電圧計測装置１１と、電流計測装置１２とを備える構成の例について説明したが、これに限ることなく、電力計測システムは、電圧計測装置と、電流計測装置と、電力計測装置とを備える構成であってもよい。電力計測装置は、例えば、コンピュータであって、電流計測装置から算出した電力を通知されることにより、電力をディスプレイ等に表示してもよい。
【００４２】
また、上記の実施の形態においては、電圧計測装置１１は、電圧情報として、計測した電圧に基づいて近似式を算出することにより、算出した近似式を電流計測装置１２に向けて送信する例について説明したが、これに限ることなく、電圧計測装置１１は、計測した電圧が０になるタイミングで、パルス信号を電流計測装置１２に向けて送信してもよい。すなわち、電圧情報は、計測した電圧が０であることを示す情報であってもよい。そして、電流計測装置１２は、パルス信号を受信し、受信したパルス信号と予め定められた振幅とに基づいて、電圧を求める近似式の算出を行ってもよい。
【００４３】
また、例えば、電圧情報は、計測した電圧のデータのうち、所定のタイミングにおける電圧のデータであってもよいし、近似式以外であって、計測した電圧に基づく情報であればよい。
【００４４】
また、上記の実施の形態においては、電圧計測装置１１を主ブレーカー１３に取り付ける例について説明したが、これに限ることなく、例えば第３のブレーカー１４ｃに取り付けてもよいし、同じ分電盤１７に設けられる他のブレーカー等に取り付けてもよい。
【００４５】
また、上記の実施の形態においては、電圧計測装置１１は、時刻を合わせるための信号を送信する信号発生部１１ｄを備える例について説明したが、これに限ることなく、電圧計測装置１１外の他の外部装置として設けてもよい。
【００４６】
また、上記の実施の形態においては、電圧計測装置１１における時間と電流計測装置１２における時間とにずれが生じている場合について、信号を用いて、そのずれを調整する例について説明したが、これに限ることなく、ずれが生じていない場合には、このような処理を行わなくてよい。
【００４７】
また、上記の実施の形態においては、電力として、瞬時電力を指す例について説明したが、これに限ることなく、積算電力に適用することもできる。
【００４８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００４９】
この発明は、電力の算出が必要な場合に、有効に利用される。
【符号の説明】
【００５０】
１０，２０  電力計測システム、１１，２１  電圧計測装置、１１ａ，１２ａ，２１ａ，２２ａ，２３ａ  記憶部、１１ｂ，１２ｂ，２１ｂ，２２ｂ，２３ｂ  計測部、１１ｃ，１２ｃ，２１ｃ，２２ｃ，２３ｃ  制御部、１１ｄ，２１ｄ  信号発生部、１２ｄ，２２ｄ，２３ｄ  信号受信部、１１ｅ，１２ｅ，２１ｅ，２２ｅ，２３ｅ  Ｉ／Ｆ部、１２，２２，２３  電流計測装置、１３  主ブレーカー、１４ａ  第１のブレーカー、１４ｂ  第２のブレーカー、１４ｃ  第３のブレーカー、１５ａ  第１の機器、１５ｂ  第２の機器、１５ｃ  第３の機器、１６  工場、１７  分電盤、１８ａ，２５ａ  電圧計測手段、１８ｂ，２５ｂ  送信手段、１８ｃ，２５ｃ  信号送信手段、１９ａ，２６ａ，２７ａ  電流計測手段、１９ｂ，２６ｂ，２７ｂ  受信手段、１９ｃ，２６ｃ，２７ｃ  電力算出手段、１９ｄ，２６ｄ，２７ｄ  電圧算出手段、１９ｅ，２６ｅ，２７ｅ  信号受信手段。
【図１】
0005488072.tif 000002
【図２】
0005488072.tif 000003
【図３】
0005488072.tif 000004
【図４】
0005488072.tif 000005
【図５】
0005488072.tif 000006
【図６】
0005488072.tif 000007